(57)【要約】　　　（修正有）【課題】電池把手を設けたフロントアクセスタイプの電池の電池把手とその近傍の電槽−蓋接合構造において、省スペースと電槽−蓋接着部の信頼性を両立した構造を提供する。【解決手段】電槽３００もしくは蓋のいずれか一方の端面の外周に接着剤が充填される溝を設け、蓋もしく電槽のいずれか一方に前記溝部に嵌合する接着しろ３０３を設け、接着しろに前記溝部が挿入された状態で電槽と蓋とを接着剤で結合する電池であり、接着しろに高さ方向の凹凸３０５，３０６を設ける。【選択図】　図４
2004139822.tif 000002
【特許請求の範囲】
【請求項１】
電槽もしくは蓋のいずれか一方の端面の外周に接着剤が充填される溝を設け、前記蓋もしく前記電槽のいずれか一方に前記溝部に嵌合する接着しろを設け、前記接着しろに前記溝部が挿入された状態で電槽と蓋とを接着剤で結合する電池であり、前記接着しろに高さ方向の凹凸を設けたことを特徴とする電池。
【請求項２】
前記接着しろの高さ方向の凹凸に応じて前記溝部に凸凹を設けたことを特徴とする請求項１に記載の電池。
【請求項３】
前記接着しろの前記凹凸を形成した前記電槽の辺に対応する前記蓋の辺もしくは前記凹凸を形成した前記蓋の辺近傍に電池把手の第１の支持部を設けたことを特徴とする請求項１もしくは２に記載の電池。
【請求項４】
前記電池上面は長方形状を有して互いに対向しあう２つの短辺に前記電池把手を一対設け、一方の電池把手は前記蓋の辺近傍に設けた第１の支持部に結合し、他方の電池把手を前記電槽から突出して設けた第２の支持部に結合したことを特徴とする請求項３に記載の電池。
【請求項５】
前記接着しろに設けた前記凹部に対応して前記第１の支持部を設けたことを特徴とする請求項３もしくは４に記載の電池。
【発明の詳細な説明】
【０００１】
【発明の属する技術分野】
本発明は電池、特に電槽と蓋を接着剤で結合する電池に関するものである。
【０００２】
【従来の技術】
電池の電槽と蓋とを結合する方法の一つとして、例えば特許文献１に示されているように、電槽又は蓋に接着剤を充填させる溝を設け、溝に接着剤を充填した後電槽又は蓋の接着代部分を挿入し硬化させる方法が従来から用いられてきた。
【０００３】
この構造は図１に示したように、隔壁１０６でセル室１０７に分割された電槽１００において、電槽壁１０８の上部に接着しろ１０２ａと隔壁１０６の上部に隔壁接着しろ１０２ｂが設けられている。一方、図２および図３に示すように蓋２００には接着しろ１０２ａと隔壁接着しろ１０２ｂに対応して溝部２０１ａ、溝部２０１ｂが設けられている。溝部２０１ａ、溝部２０１ｂに接着剤（図示せず）を流し込んだ後、溝部２０１ａ、溝部２０１ｂと接着しろ１０２ａ、隔壁接着しろ１０２ｂとをそれぞれ嵌合し、接着剤を硬化させる事により、電槽１００と蓋２００を接合する。
【０００４】
このような結合方法は電池、特にバックアップ用に用いられる制御弁式鉛蓄電池では広く用いられている。近年、特に通信基地局に用いるバックアップ電源として前面に端子を配置したフロントアクセスタイプと称する横長形状の電池が用いられつつある。このような電池では短側面の前面に端子が配置され、隣接する電池の長側面同士を突き合わせて収納ラックに配置する。これらのフロントアクセスタイプの電池では１００Ａｈ前後の容量が要求されるため、電池は数１０ｋｇといった重量物となる。そのため、収納ラックへの設置作業を勘案して電池に把手を設けることが必要である。
【０００５】
電池の把手構造としてはたとえば特許文献２のように電池蓋に把手を設けたり、特許文献３のように電槽に把手を設けた構造が知られている。特許文献２のような電池蓋に把手を設ける構造は自動車用電池のように数ｋｇから１０数ｋｇ程度の比較的軽量な電池に適用できるものの、フロントアクセス電池といった重量が重い電池では蓋と電槽との接合部に負担がかかるため、殆ど採用されていない。
【０００６】
一方、電槽に把手を設ける構造を電槽と蓋との接合部に応力がかからないため、重量がかさむ電池に用いられている。把手を電槽に設ける場合には特許文献３のように電槽に把手を接合するための部材を電槽に設ける必要がある。ところがこの部材は電槽から突出して設ける必要があり、電池の最大寸法が増加する。そしてこのような電池は所定寸法の収納ラックに収納して設置するため、電池最大寸法が制限される。したがって、把手構造の寸法確保のためにセル寸法を短縮せざるを得ず、電池を高容量化する上で極めて不都合であった。
【０００７】
【特許文献１】
特開平９−２５１８５０号公報
【特許文献２】
特開平１０−４０８９４号公報
【特許文献３】
特開昭５９−２０９２６５号公報
【０００８】
【発明が解決しようとする課題】
本発明は前記したような電池把手を設けたフロントアクセスタイプの電池の電池把手とその近傍の電槽−蓋接合構造において、省スペースと電槽−蓋接着部の信頼性を両立した構造を提供することを目的とする。
【０００９】
【課題を解決するための手段】
前記した課題を解決するために、本発明の請求項１に係る発明は、電槽もしくは蓋のいずれか一方の端面の外周に接着剤が充填される溝を設け、前記蓋もしく前記電槽のいずれか一方に前記溝部に嵌合する接着しろを設け、前記接着しろに前記溝部が挿入された状態で電槽と蓋とを接着剤で結合する電池であり、前記接着しろに高さ方向の凹凸を設けたことを特徴とする電池を示すものである。
【００１０】
また、本発明の請求項２に係る発明は、請求項１の電池において、接着しろの高さ方向の凹凸に応じて溝部に凸凹を設けた電池を示すものである。
【００１１】
また、本発明の請求項３に係る発明は、請求項１もしくは２の電池において、凹凸を形成した前記電槽の辺に対応する蓋の辺もしくは凹凸を形成した蓋の辺近傍に電池把手の第１の支持部を設けたことを示すものである。
【００１２】
さらに、本発明の請求項４に係る発明は、請求項３の電池において、電池上面は長方形状を有して互いに対向しあう２つの短辺に電池把手を一対設け、一方の電池把手は蓋の辺近傍に設けた第１の支持部に結合し、他方の電池把手を電槽から突出して設けた第２の支持部に結合したことを特徴とする電池を示すものである。
【００１３】
そして、本発明の請求項５に係る発明は、請求項３もしくは請求項４の電池において、前記接着しろに設けた前記凹部に対応して第１の支持部を設けたことを特徴とする電池を示すものである。
【００１４】
【発明の実施の形態】
本発明の好ましい実施の形態を図面を用いて説明する。
【００１５】
なお、電槽や蓋を示す図面は概略を示すものであって、各要素の相対的なサイズを限定するものではない。本発明の電池に用いる電槽３００は図４に示したように、隔壁３０１で複数のセル室３０２に分割されている。各セル室３０２にはそれぞれ極板群（図示せず）が収納されている。
【００１６】
電槽３００の開口端面の外周には接着しろ３０３、隔壁３０１の上端には隔壁接着しろ３０４が設けられている。本発明の電池においては、電槽外周の接着しろ３０３に凹部３０５と凸部３０６が設けられている。一方、電槽３００と嵌合する蓋４００は図５および図６に示したように、接着しろ３０３および隔壁接着しろ３０４に対応した溝部４０１を設ける。
【００１７】
本発明の電池では電槽３００と蓋４００との接合部の構造に特徴があり、その他の極板群、安全弁および端子部の構成等は従来から知られている構成を適宜採用することにより、本発明の電池を得ることができる。
【００１８】
本発明の好ましい実施形態においては凹部３０５および凸部３０６は電池把手５００を支持する第１の支持部５０１を設けた蓋４００の辺４００ａに対応する電槽３００の辺３００ａの接着しろ３０３に設ける。さらに、図７に示したように、凹部３０５および凸部３０６に対応して溝部４０１にそれぞれ凸部４０２および凹部４０３を設ける。そして第１の支持部５０１は蓋の凸部４０２に対応した位置に設ける。
【００１９】
このような本発明の構造によれば、蓋４００に電池把手５００の支持部５０１を設けた場合においても十分な蓋４００−電槽３００間の接合強度を確保することができる。これは蓋４００−電槽３００の接着部において接着しろの高さ方向に凹凸を形成することによって接着面積が確保できるとともに、接着しろの形状が複雑になったこと等による。
【００２０】
さらに本発明においては第１の支持部を凸部４０２に対応して設けることにより、第１の支持部５０１の高さ寸法の一部を凸部４０２に収納でき、蓋４００の高さ寸法をより低く形成することが可能となる。その後、図８に示したように、第１の支持部５０１に把手５００を装着することにより、好ましい本発明の電池６００を得ることができる。
【００２１】
一般的に把手５００は一対設けるので、もう一方の把手５００は辺３００ａに対向する辺に設け（図示せず）、この辺における把手支持部と接着構造は前記した構成をそのまま適用すればよい。また、電池把手５００としては樹脂成形体やロープ状のものを用いることができる。
【００２２】
他の好ましい本発明の電池６００としては図９に示したように、前記した第１の支持部５０１を電池６００の短側面の辺６００ａ（辺３００ａに対応）して設け、もう一方の支持部である第２の支持部６０１を辺６００ａに対向する辺６００ｂに対応する電槽３００の側面に突出して設ける。そして第１の支持部５０１および第２の支持部６０１に電池把手５００を装着することにより、好ましい本発明の電池を得ることができる。ここで辺６００ｂ側には端子（図示せず）を位置させることが好ましい。端子側は電池収納ラック（図示せず）の前面に位置させるため、電池収納ラックの奥行寸法によって電池６００からの突出寸法が規制される辺６００ａ側とは異なり、電池収納と配線作業に支障のない範囲で電池６００から突出させることが可能であるからである。このような構成においては辺６００ｂ側の接着部構造は図１で示したような接着しろに凹凸を設けない構造を適用することが可能である。
【００２３】
【実施例】
図１、図２および図３に示す電槽１００と蓋２００を接着剤で接合し、図１０に示す従来例の１２Ｖ１００Ａｈの制御弁式鉛蓄電池（以下、電池Ａ）を構成した。ここで接着しろ１０２ａの高さｈを１０．０ｍｍとした。次に図４、図５および図６に示す電槽３００と蓋４００とを上述の接着剤で接合し、同じく１２Ｖ１００Ａｈの図９に示した制御弁式鉛蓄電池（以下、電池Ｂ）を作成した。本発明の電池Ｂにおいて接着しろ３０３の凹部３０５の高さｈ１を７．０ｍｍ、凸部３０６の高さｈ２を１０．０ｍｍとした。尚、これらの電池の重量はそれぞれ４０ｋｇである。また電池Ａの蓋２００には図５に示した第１の支持部５０１と同様の構造を有する支持部を短側面に対応して一対設けた。
【００２４】
これらの電池の把手を図１１に示したように、試験治具９００に固定し、試験治具９００に設けた支持台９０１を落下させることによって、試験電池９０２を３０ｃｍ落下させ、電池把手５００とその支持部に落下衝撃を加えた。その後、電池の気密状態を確認した。その結果、従来例の電池Ａでは８５回の落下衝撃で電槽−蓋間の気密が損なわれた。一方、本発明例の電池Ｂでは１００回まで落下試験を行っても依然として電槽−蓋間の気密は保持されていた。したがって、本発明の構成によれば、電槽−蓋接合部の耐落下衝撃特性を向上できることがわかる。
【００２５】
【発明の効果】
以上、説明してきたように本発明の構成によれば、蓋に電池把手を設けたフロントアクセスタイプの電池の電槽−蓋接合部の接合強度の向上と該接合構造の高さ寸法の減少を両立することによって、省スペースと電槽−蓋接着部の信頼性を両立した高容量の電池を提供できることから、工業上、極めて有用である。
【図面の簡単な説明】
【図１】従来例の電槽を示す図
【図２】従来例の蓋を示す図
【図３】従来例の蓋の電池内側面を示す図
【図４】本発明例の電池の電槽を示す図
【図５】本発明例の電池の蓋を示す図
【図６】本発明例の電池の蓋の電池内側面を示す図
【図７】本発明例の電池の断面を示す図
【図８】本発明の電池を示す図
【図９】本発明の他の電池を示す図
【図１０】実施例における従来例の電池を示す図
【図１１】実施例における落下試験方法を示す図
【符号の説明】
１００　　　電槽
１０２ａ　　接着しろ
１０２ｂ　　隔壁接着しろ
１０６　　　隔壁
１０７　　　セル室
２００　　　電槽
２０１ａ　　溝部
２０１ｂ　　溝部
３００　　　電槽
３００ａ　　辺
３０１　　　隔壁
３０２　　　セル室
３０３　　　接着しろ
３０４　　　隔壁接着しろ
３０５　　　凹部
３０６　　　凸部
３０７　　　　　支持部
４００　　　蓋
４００ａ　　辺
４０１　　　溝部
４０２　　　凸部
４０３　　　凹部
５００　　　電池把手
５０１　　　第１の支持部
６００　　　電池
６００ａ　　　辺
６００ｂ　　　辺
６０１　　　　　第２の支持部
９００　　　　　試験治具
９０１　　　　　支持台
９０２　　　　　試験電池
【図１】
2004139822.tif 000003
【図２】
2004139822.tif 000004
【図３】
2004139822.tif 000005
【図４】
2004139822.tif 000006
【図５】
2004139822.tif 000007
【図６】
2004139822.tif 000008
【図７】
2004139822.tif 000009
【図８】
2004139822.tif 000010
【図９】
2004139822.tif 000011
【図１０】
2004139822.tif 000012
【図１１】
2004139822.tif 000013